(57)【要約】【課題】意識して係合凸部から離れる方向に移動してから取り外す必要の無い、水平／垂直のいずれの状態でも使用可能な電話機のハンドセット載置構造を提供する。【解決手段】 クレードル２にハンドセット１の係合孔１ａを引っ掛ける爪３ａまたは３ｂまたは３ｃまたは３ｄをもつレバー３をクレードル２の内部に取り付け、ハンドセット１を外す力でレバー３が回転し、ハンドセット１の引っ掛けが外れ、爪３ａまたは３ｂまたは３ｃまたは３ｄがクレードル２内部に収納され、ハンドセット１の取り出しが可能になる。【選択図】 図４
0003166559.tif 000002
【実用新案登録請求の範囲】
【請求項１】
ハンドセットを載置するクレードルとハンドセットを含む電話機のハンドセット載置構造であって、
前記ハンドセットは、前記クレードルが備える突起部と係合する窪みを有し、
前記クレードルは、回転体の同一円周上に形成された複数の突起部と、所定の箇所で前記突起部を停止する突起部停止構造と、を有し、
前記複数の突起部のいずれかは前記ハンドセットの窪みと係合して前記ハンドセットを保持し、前記ハンドセットを前記クレードルに対して略垂直方向に取り出す場合に、前記複数の突起部が形成された回転体が一定方向に回転して、前記ハンドセットの保持を解除すると共に、前記ハンドセットの保持を解除した後に次の突起部が前記ハンドセットの窪みと係合する位置に移動してくる構造を有することを特徴とする電話機のハンドセット固定載置構造。
【請求項２】
ハンドセットを載置するクレードルとハンドセットを含む電話機のハンドセット載置構造であって、
前記ハンドセットは、前記クレードルが備える突起部と係合する窪みを有し、
前記クレードルは突起部と、所定の箇所で前記突起部を停止させるバネ部と、を有し、
前記突起部は前記ハンドセットの窪みと係合して前記ハンドセットを保持し、前記ハンドセットを前記クレードルに対して略垂直方向に取り出す場合に前記突起部が移動して前記ハンドセットの保持を解除すると共に、前記ハンドセットの保持を解除した後に、前記バネの反力によって前記突起部が前記ハンドセットの窪みと係合する位置に移動してくる構造を有することを特徴とする電話機のハンドセット固定載置構造。
【考案の詳細な説明】
【技術分野】
【０００１】
本考案は、電話機本体と送受話器（以降、ハンドセットと呼ぶ）とからなる固定式の電話機において、電話機本体を壁に設置した直立の状態であっても、ハンドセットを電話機本体のハンドセット載置台（以降、クレードルと呼ぶ）に載置することができる電話機の構造に関するものである。
【背景技術】
【０００２】
電話機本体とハンドセットから構成される一般的な電話機は、卓上等の平らな場所に置かれて水平な状態での使用を想定しており、クレードルもハンドセットを水平に載置する構造となっている。従って、一般的な電話機を設置するには相応の設置面積を要する。
この設置面積を削減するために、電話機本体を壁や柱等に取り付け、ハンドセットを直立の状態のクレードルに落下しないように載置する壁掛電話機に係わる技術がある（例えば、特許文献１）。
【先行技術文献】
【特許文献】
【０００３】
【特許文献１】特開２００１−３４５９０８号公報
【考案の概要】
【考案が解決しようとする課題】
【０００４】
しかしながら、特許文献１に記載されている壁掛電話機は、ハンドセットに係止凹部を形成して、該凹部にクレードルの突起を嵌め込む構造となっていて、ハンドセットの係止凹部とクレードルに形成した突起が係合しているので、ハンドセットをクレードルから取り外す際に、ハンドセットを係合凸部から離れる方向に移動してから取り外す必要がある。
このため、この壁掛電話機を水平／垂直のいずれの状態でも使用可能な電話機とする場合、水平な状態で使用する際に一般的な電話機におけるハンドセットの外し方と違いが発生し、操作性に違和感が生じる。また、一般的な電話機と同様にハンドセットを係合凸部から離れる方向に移動させずに、ハンドセットをそのまま上方へ持ち上げた場合、クレードルの突起を破損する恐れがあった。
【０００５】
そこで、本考案が解決しようとする課題は、意識してハンドセットを係合凸部から離れる方向に移動してから取り外す必要の無い、水平／垂直のいずれの状態でも使用可能な電話機のハンドセットの保持構造を提供することにある。
【課題を解決するための手段】
【０００６】
上記課題を解決するために、第１の考案は、ハンドセットを載置するクレードルとハンドセットを含む電話機のハンドセット載置構造であって、前記ハンドセットは、前記クレードルが備える突起部と係合する窪みを有し、前記クレードルは、回転体の同一円周上に形成された複数の突起部と、所定の箇所で前記突起部を停止する突起部停止構造と、を有し、前記複数の突起部のいずれかは前記ハンドセットの窪みと係合して前記ハンドセットを保持し、前記ハンドセットを前記クレードルに対して略垂直方向に取り出す場合に、前記複数の突起部が形成された回転体が一定方向に回転して、前記ハンドセットの保持を解除すると共に、前記ハンドセットの保持を解除した後に次の突起部が前記ハンドセットの窪みと係合する位置に移動してくる構造を有することを特徴とする。
また、第２の考案は、前記クレードルは突起部と、所定の箇所で前記突起部を停止させるバネ部と、を有し、前記突起部は前記ハンドセットの窪みと係合して前記ハンドセットを保持し、前記ハンドセットを前記クレードルに対して略垂直方向に取り出す場合に前記突起部が移動して前記ハンドセットの保持を解除すると共に、前記ハンドセットの保持を解除した後に、前記バネの反力によって前記突起部が前記ハンドセットの窪みと係合する位置に移動してくる構造を有することを特徴とする。
【考案の効果】
【０００７】
本考案によれば、ハンドセットは、クレードルから突出した係合先端部とハンドセットに形成された係合孔との係合によって支持されるので、壁や柱等に取り付けた場合であっても、脱落せず、電話機本体に固定することができる。また、前記係合孔から突出した係合先端部は、ハンドセットを取り外す際に引込むので、ハンドセットの取出しがスムーズである。
【図面の簡単な説明】
【０００８】
【図１】ハンドセット及びクレードルの斜視図。ハンドセットがクレードルに固定されている状態を示す。
【図２】クレードル内部のレバーの構造図。同図（Ａ）は正面図、同図（Ｂ）は平面図、同図（Ｃ）は背面図である。
【図３】クレードルの構造図。同図（Ａ）は正面図、同図（Ｂ）は同図（Ａ）のＡ−Ａ線に沿った断面図、同図（Ｃ）は同図（Ａ）のＢ−Ｂ線に沿った断面図である。
【図４】クレードルに固定されているハンドセットを脱装する手順を説明するためのハンドセット及びクレードルの構造図。ハンドセットがクレードルに固定されている状態を示す。同図（Ａ）は正面図、同図（Ｂ）は同図（Ａ）のＣ−Ｃ線に沿った断面図である。
【図５】ハンドセットをクレードルから脱装しはじめた状態を示す。同図（Ａ）は正面図、同図（Ｂ）は同図（Ａ）のＤ−Ｄ線に沿った断面図である。
【図６】ハンドセットをクレードルから脱装した状態を示す。同図（Ａ）は正面図、同図（Ｂ）は同図（Ａ）のＥ−Ｅ線に沿った断面図である。
【図７】ハンドセット及びクレードルの斜視図。ハンドセットがクレードルに固定されている状態を示す。
【図８】クレードル内部のレバーの構造図。同図（Ａ）は左側面図、同図（Ｂ）は正面図である。
【図９】クレードル内部のバネの構造図。同図（Ａ）は右側面図、同図（Ｂ）は平面図である。
【図１０】クレードルの構造図。同図（Ａ）は正面図、同図（Ｂ）は同図（Ａ）のＦ−Ｆ線に沿った断面図、同図（Ｃ）は同図（Ａ）のＧ−Ｇ線に沿った断面図である。
【図１１】クレードルに固定されているハンドセットを脱装する手順を説明するためのハンドセット及びクレードルの構造図。ハンドセットがクレードルに固定されている状態を示す。同図（Ａ）は正面図、同図（Ｂ）は同図（Ａ）のＨ−Ｈ線に沿った断面図である。
【図１２】ハンドセットをクレードルから脱装しはじめた状態を示す。同図（Ａ）は正面図、同図（Ｂ）は同図（Ａ）のＩ−Ｉ線に沿った断面図である。
【図１３】ハンドセットをクレードルから脱装した状態を示す。同図（Ａ）は正面図、同図（Ｂ）は同図（Ａ）のＪ−Ｊ線に沿った断面図である。
【考案を実施するための形態】
【０００９】
本考案の実施例のハンドセット１及びクレードル２の斜視図を図１に示す。
【００１０】
図２にクレードル２内部のレバー３の細部構造を示す。レバー３は爪３ａ、３ｂ、３ｃ、３ｄ、回転軸３ｅ（または３ｆ）と球状の突起３ｇ、３ｈ、３ｉ、３ｊ（または３ｋ、３ｌ、３ｍ、３ｎ）から成っている。
【００１１】
図３にクレードル２の細部構造を示す。クレードル２は上ケース２aと下ケース２ｂから成り、上ケース２ａの内部にはレバー押さえ２ｃが形成してあり、レバー押さえ２ｃには球状に凹んだ凹部２ｄ、２ｅ、２ｆ（または２ｇ、２ｈ、２ｉ）があり、それぞれを繋ぐ溝２ｊ、２ｋ、２ｌ（または２ｍ、２ｎ、２ｏ）があり、切り欠き２ｐ（または２ｓ）があり、孔２ｒがある。また、下ケース２ｂにはレバー押さえ２ｑがある。
【００１２】
図４にハンドセット１がクレードル２に固定されている状態の図を示す。この状態の時、レバー３の回転軸３ｅ（または３ｆ）はクレードル２内部の切り欠き２ｐ（または２ｓ）に係合される。レバー３上の球状の突起３ｇ、３ｈ、３ｉ、３ｊ（または３ｋ、３ｌ、３ｍ、３ｎ）はそれぞれ上ケース２ａの球状に凹んだ凹部２ｄ、２ｅ、２ｆ（または２ｇ、２ｈ、２ｉ）と係合し、固定される。レバー３上の爪３ａ、３ｂ、３ｃ、３ｄは上ケース２ａ上の孔２ｒから突出し、ハンドセット１の係合孔１ａと係合し、ハンドセットの脱落を防ぐ。
【００１３】
図５にハンドセット１をクレードル２から脱装しはじめた状態の図を示す。ハンドセット１を図の手前方向に一定以上の力で引っ張ると、レバー３上の球状の突起３ｇ、３ｈ、３ｉ、３ｊ（または３ｋ、３ｌ、３ｍ、３ｎ）がそれぞれ係合していた上ケース２の球状に凹んだ凹部２ｄ、２ｅ、２ｆ（または２ｇ、２ｈ、２ｉ）から外れ、回転軸３ｅ（または３ｆ）を中心に回転し、爪３ａ、３ｂ、３ｃ、３ｄが上ケース２ａ内に収納され、ハンドセット１の取り出しが可能となる。
【００１４】
図６にハンドセット１をクレードル２から脱装した状態の図を示す。ハンドセット１を脱装する時にレバー３上の球状の突起３ｇ、３ｈ、３ｉ、３ｊ（または３ｋ、３ｌ、３ｍ、３ｎ）は上ケース２ａ上の溝２ｊ、２ｋ、２ｌ（または２ｍ、２ｎ、２ｏ）にある。溝２ｊ、２ｋ、２ｌ（または２ｍ、２ｎ、２ｏ）は球状の突起３ｇ、３ｈ、３ｉ、３ｊ（または３ｋ、３ｌ、３ｍ、３ｎ）よりも幅が狭くなっており、レバー３が回転する方向に向かって広がっている形状になっており、溝２ｊ、２ｋ、２ｌ（または２ｍ、２ｎ、２ｏ）に沿って球状の突起３ｇ、３ｈ、３ｉ、３ｊ（または３ｋ、３ｌ、３ｍ、３ｎ）が移動し、自動的に次の爪が孔２ｒより突出された位置で固定される。
【００１５】
図７に図１の実施例とは別の実施例のハンドセット１とクレードル４の斜視図を示す。
【００１６】
図８にクレードル４内部のレバー５の細部構造を示す。レバー５は回転軸５ａ（または５ｂ）と爪５ｃと突起５ｄから成っている。
【００１７】
図９にクレードル４内部のバネ６の細部構造を示す。バネ６はコイル部６ａを有している。
【００１８】
図１０にクレードル４の細部構造を示す。クレードル４は上ケース４ａと下ケース４ｂから成り、上ケース４ａの内部にはレバー押さえ４ｃ、バネ押さえ４ｆ、孔４ｈが形成してあり、レバー押さえ４ｃには溝４ｄ（または４ｅ）があり、バネ押さえ４ｆには突起４ｇがある。また、下ケース４ｂにはレバー押さえ４ｉがある。
【００１９】
図１１にハンドセット１がクレードル４に固定されている状態の図を示す。この状態の時、レバー５の回転軸５ａ（または５ｂ）はクレードル４内部の溝４ｄ（または４ｅ）に係合される。バネ６はコイル部６ａが上ケース４ａ上のバネ押さえ４ｆにある突起４ｇに係合し、バネの反力によってレバー５を押し上げる。レバー５の爪５ｃは上ケース４ａ上の孔４ｈから突出し、ハンドセット１の係合孔１ａと係合し、ハンドセットの脱落を防ぐ。
【００２０】
図１２にハンドセット１をクレードル４から脱装しはじめた状態の図を示す。ハンドセット１を図の手前方向に一定以上の力で引っ張ると、レバー５が回転軸５ａ（または５ｂ）を中心に、バネ６を押し付けながら回転する。爪５ｃが上ケース４ａの孔４ｈから突出していた状態から上ケース４ａ内部に収納され、ハンドセット１の取り出しが可能となる。
【００２１】
図１３にハンドセット１をクレードル４から脱装した状態の図を示す。ハンドセット１を脱装する時にレバー５が押し付けていたバネ６がバネの反力で元の位置に戻る。レバー５上の爪５ｃも上ケース４ａの孔４ｈから突出した位置に戻る。
【符号の説明】
【００２２】
１・・・ハンドセット
１ａ・・・係合孔
２・・・クレードル
２ａ・・・上ケース
２ｂ・・・下ケース
２ｃ・・・レバー押さえ
２ｄ、２ｅ、２ｆ、２ｇ、２ｈ、２ｉ・・・球状に凹んだ凹部
２ｊ、２ｋ、２ｌ、２ｍ、２ｎ、２ｏ・・・溝
２ｐ、２ｓ・・・切り欠き
２ｒ・・・孔
２ｑ・・・レバー押さえ
３・・・レバー
３ａ、３ｂ、３ｃ、３ｄ・・・爪
３ｅ、３ｆ・・・回転軸
３ｇ、３ｈ、３ｉ、３ｊ、３ｋ、３ｌ、３ｍ、３ｎ・・・球状の突起
４・・・クレードル
４ａ・・・上ケース
４ｂ・・・下ケース
４ｃ・・・レバー押さえ
４ｄ、４ｅ・・・溝
４ｆ・・・バネ押さえ
４ｇ・・・突起
４ｈ・・・孔
４ｉ・・・レバー押さえ
５・・・レバー
５ａ、５ｂ・・・回転軸
５ｃ・・・爪
５ｄ・・・突起
６・・・バネ
６ａ・・・コイル部
【図１】
0003166559.tif 000003
【図２】
0003166559.tif 000004
【図３】
0003166559.tif 000005
【図４】
0003166559.tif 000006
【図５】
0003166559.tif 000007
【図６】
0003166559.tif 000008
【図７】
0003166559.tif 000009
【図８】
0003166559.tif 000010
【図９】
0003166559.tif 000011
【図１０】
0003166559.tif 000012
【図１１】
0003166559.tif 000013
【図１２】
0003166559.tif 000014
【図１３】
0003166559.tif 000015